(57)【特許請求の範囲】
【請求項１】
車両または基台に旋回自在かつ起伏自在なブームと、ブームの先端に姿勢維持部材を介してプラットホームと、を備えた高所作業装置において、
張出床と、張出床を張出自在に駆動するアクチュエータとを、プラットホームに対し着脱自在に設けたことを特徴とする高所作業装置におけるプラットホームの張出床装置。
【請求項２】
前記プラットホームは、側縁の一部とそれに続く床面が欠落した開口部を持っており、前記張出床は、この開口部を覆う構成となっていることを特徴とする請求項１記載の高所作業装置におけるプラットホームの張出床装置。
【請求項３】
前記プラットホームに着脱自在としたブラケットと、このブラケットに取付けた支持体と、前記張出床にこの支持体を介して移動可能なガイドレールとを備え、前記アクチュエータの一側をブラケット側に他側を張出床側に接続したことを特徴とする請求項１または２記載の高所作業装置におけるプラットホームの張出床装置。
【請求項４】
前記プラットホームにガイドレールと、前記張出床にガイドレールに案内され移動可能であると共にガイドレールに対し嵌脱自在な支持体とを備え、前記アクチュエータの一側を張出床側に接続し他側をプラットホーム側に着脱自在に接続したことを特徴とする請求項１または２記載の高所作業装置におけるプラットホームの張出床装置。
【発明の詳細な説明】
【０００１】
【発明の属する技術分野】
この発明は、高所作業装置におけるプラットホームの張出床装置に関するものである。
【０００２】
【従来の技術】
高所作業車Ａは、図１に示すように、走行自在な車両１に取付けた高所作業装置Ｂ、すなわち、基台フレーム２、基台フレーム２に旋回自在に取付けた旋回台３、基端部を旋回台３の上端部に起伏自在に取付けた伸縮自在な伸縮ブーム４、伸縮ブーム４の先端に取付け起伏駆動に関わりなく姿勢を維持する姿勢維持部材５、姿勢維持部材５に首振自在に取付けたプラットホーム６から構成している。これらは、旋回アクチュエータ７により旋回自在、起伏アクチュエータ８により起伏自在、伸縮アクチュエータ９（図示せず）により伸縮自在、姿勢維持アクチュエータ10により姿勢維持自在、首振アクチュエータ11により首振自在、に駆動される。
【０００３】
そして、プラットホーム６には、図６に示すように、上部操作装置15が備えられ、この上部操作装置15の操作レバー16、スイッチ等をプラットホーム６に搭乗したオペレータ17が操作することにより、前記した各アクチュエータ７〜11が作動する。これらの上部操作装置15の操作レバー16、スイッチ等を適宜操作して、プラットホーム６を作業対象物18に接近させて高所作業をするものである。
【０００４】
このようなプラットホーム６を備えた高所作業車のなかには、プラットホーム６に張出自在な張出床21を内臓する形態で備えたものがあり、たとえば、特開平１２−３４７２８号で公知である。そして、張出床21は、アクチュエータ22により、張出自在に駆動されるようになっている。
【０００５】
この公知のプラットホーム６は、オペレータ17が操作レバー16、スイッチ等を適宜操作して各アクチュエータ７〜11を作動させプラットホーム６を作業対象物18に接近させた後、さらに操作レバー16、スイッチ等を適宜操作してアクチュエータ22を自在に駆動し、張出床21を作業対象物18の凹凸や作業内容に合わせた接近度にする。プラットホーム６に搭載した作業機19や搭乗したオペレータ17を、プラットホーム６上より張出床21上に位置させることで、より作業対象物18に接近できるので、張出床21を備えていないプラットホーム６に比べ、より高所作業が安全に、しかも効率良く行える点で効果がある。
【０００６】
【発明が解決しようとする課題】
ところで、高所作業装置Ｂにおけるプラットホーム６は、姿勢維持部材10を介して伸縮ブーム４の先端に備わっているため、高所作業装置Ｂの強度や安定度を考慮すると、軽量であることが望ましい。
【０００７】
一方、このプラットホーム６に内臓された張出床21は、プラットホーム６との面積比程度の重量があるので、重く、また、アクチュエータ22により張出自在に駆動するものでは、さらに重くなる。
【０００８】
ところが、従来の張出床装置は、プラットホーム６に張出自在な張出床21を内臓する形態で備えているので、張出床21が不用な作業の場合でも張出床21がプラットホーム６と共に、移動していた。そこで、張出床21が不用な作業の場合、作業半径が小さく抑えられたり、プラットホーム６への積載量が小さく抑えられたりし、作業効率を悪くしていた。
【０００９】
本願発明は、上記従来技術の問題点を解決した高所作業装置におけるプラットホームの張出床装置、すなわち、張出床21が不用な作業の場合には張出床21をプラットホーム６から取外しできる高所作業装置におけるプラットホームの張出床装置を提供することを課題とするものである。
【００１０】
【課題を解決するための手段】
上記の課題を解決するため、本願発明に係る高所作業装置におけるプラットホームの張出床装置は以下の如く構成する。
【００１１】
請求項１においては、車両または基台に旋回自在かつ起伏自在なブームと、ブームの先端に姿勢維持部材を介してプラットホームと、を備えた高所作業装置において、張出床と、張出床を張出自在に駆動するアクチュエータとを、プラットホームに対し着脱自在に設けた構成にした。
【００１２】
張出床と、張出床を張出自在に駆動するアクチュエータとを、プラットホームに対し着脱自在にしたので、張出床をプラットホームに対し張出自在に駆動できると共に、張出床が不用な作業の場合には張出床をプラットホームから取外しできる。そこで、作業半径が小さく抑えられたり、プラットホーム６への積載量が小さく抑えられたりすることがなく、作業効率を良くすることができる。
【００１３】
請求項２においては、請求項１に加え、プラットホームは、側縁の一部とそれに続く床面が欠落した開口部を持っており、張出床は、この開口部を覆う構成にした。
【００１４】
プラットホームは、側縁の一部とそれに続く床面が欠落した開口部を持たせたので、請求項１の作用に加え、プラットホームに作業機なかでも穿孔機等を装備して作業するのに作業し易く、また、張出床を装備した場合にはこの開口部を覆うので、安全に作業できる。
【００１５】
請求項３においては、請求項１または請求項２において、張出床と、張出床を張出自在に駆動するアクチュエータとを、プラットホームに対し着脱自在に設けるに当り、プラットホームに着脱自在としたブラケットと、このブラケットに取付けた支持体と、張出床にこの支持体を介して移動可能なガイドレールとを備え、アクチュエータの一側をブラケット側に他側を張出床側に接続した構成にした。
【００１６】
このように構成したので、請求項１または請求項２の作用に加え、張出床と、張出床を張出自在に駆動するアクチュエータとを、プラットホームに対し着脱する操作は、ブラケットの着脱操作だけで済むのである。よって、張出床およびアクチュエータのプラットホームに対する着脱操作は、簡単なものになる。
【００１７】
請求項４においては、請求項１または請求項２において、張出床と、張出床を張出自在に駆動するアクチュエータとを、プラットホームに対し着脱自在に設けるに当り、プラットホームにガイドレールと、張出床にガイドレールに案内され移動可能であると共にガイドレールに対し嵌脱自在な支持体とを備え、アクチュエータの一側を張出床側に接続し他側をプラットホーム側に着脱自在に接続した構成にした。
【００１８】
このように構成したので、請求項１または請求項２の作用に加え、張出床と、張出床を張出自在に駆動するアクチュエータとを、プラットホームに対し着脱する操作は、支持体のガイドレールに対する嵌脱操作と、アクチュエータの他側をプラットホーム側に着脱する操作で済むのである。よって、張出床およびアクチュエータのプラットホームに対する着脱操作は、簡単なものになる。
【００１９】
【発明の実施の形態】
まず、本願発明の第１の実施の形態について、図１、図２、および図３を用いて説明する。符号１〜11、および15〜19は、従来の技術で説明し用いたものと同義であるので、ここでは、符号の説明を省略し用いる。また、高所作業装置Ｂの概観的説明は、従来の技術において説明した通りであるので省略する。
【００２０】
31は、張出床、32は、アクチュエータ、33は、ブラケット、34は、支持体、35は、ガイドレール、36は、サポート、37は、アクチュエータ取付座Ａ、38は、アクチュエータ取付座Ｂ、39は、取付座、61は、プラットホームである。
【００２１】
左右のブラケット33は、サポート36により連結固定され、ブラケット33には支持体34がブラケット33と相対的な位置変化を伴わないようにして取付けられている。支持体34は、スライドプレート、ローラ等の形態のものである。張出床31には、ガイドレール35が備えられ、支持体34は、このガイドレール35にガイドされて移動可能に構成されている。ガイドレール35は、張出床31の桁部材と共用したものでも、別途専用に設けたものでもよい。取付座39は、ブラケット33に対応したプラットホーム61の適所に備えられ、ブラケット33が着脱自在に取付けられる。
【００２２】
アクチュエータ32は、一側をサポート36に備えたアクチュエータ取付座Ａ37に、他側を張出床側に備えたアクチュエータ取付座Ｂ38に接続し、張出床31をプラットホーム61に対し張出自在に駆動する。
【００２３】
このように構成された本願発明の高所作業装置におけるプラットホームの張出床装置は、次のように作用する。
【００２４】
まず、整備された壁面等が作業対象物18であり張出床31が不用な作業の場合、張出床31を取付けないプラットホーム61だけで作業をする。
この場合、上部操作装置15の操作レバー16、スイッチ等をプラットホーム61に搭乗したオペレータ17が操作することにより、各アクチュエータ７〜11が作動する。上部操作装置15のこれらの操作レバー16、スイッチ等を適宜操作して、プラットホーム61を作業対象物18に接近させて高所作業をするのである。
【００２５】
つぎに、作業対象物18の凹凸等により作業内容に合わせた接近度にすることがプラットホーム61ではできない場合、プラットホーム61に張出床31を取付けて作業をする。
張出床31をプラットホーム61に取付けるには、保管していた張出床31をクレーン等の適宜の手段により移動させ、プラットホーム61に備えられた取付座39にブラケット33の位置を合わせ降ろす。取付座39とブラケット33とをボルト、ピン、バイス等の着脱自在にできる適宜な手段で取付ける。この適宜な手段は、たとえばパワーピンのような動力駆動されるものでもよい。取付座39は、ブラケット33に対応したプラットホーム61の適所に備えられているので、容易に取付けられる。
【００２６】
そして、アクチュエータ32に油圧、電力等のアクチュエータ32の種類に応じた駆動源を接続する。駆動源は、プラットホーム61に備えられていても、伸縮ブーム４や旋回台３や基台２等に備えられていても、高所作業車に備えられていない別置きのものでもよい。また、駆動源は、張出床31自身に備えたものでもよく、この場合には接続を特には必要としない。
【００２７】
張出床31のプラットホーム61への取付けは、ブラケット33の取付座39への取付け、および駆動源のアクチュエータ32への接続でもって完了するのである。なぜなら、左右のブラケット33は、サポート36により連結固定され、ブラケット33に取付けられた支持体34は、張出床31に備えられたガイドレール35にガイドされて移動可能に構成され、アクチュエータ32は、サポート36に備えたアクチュエータ取付座Ａ37と張出床31側に備えたアクチュエータ取付座Ｂ38とに接続して、一体的になっているからである。
【００２８】
張出床31のプラットホーム61への取付けが完了すると、オペレータ17が操作レバー16、スイッチ等を適宜操作して各アクチュエータ７〜11を作動させプラットホーム61を作業対象物18に接近させた後、さらに操作レバー16、スイッチ等を適宜操作してアクチュエータ32を自在に駆動し、張出床31を作業対象物18の凹凸や作業内容に合わせた接近度にする。
【００２９】
プラットホーム61に搭載していた作業機19や搭乗したオペレータ17を、プラットホーム61上より張出床31上に位置させることで、作業内容に合わせた作業対象物18への接近度にできるので、張出床31を備えていないプラットホーム61に比べ、高所作業がより安全に、しかも効率良く行える。
【００３０】
そして、次の作業が、張出床31を必要としない作業であるとする。
この場合、プラットホーム61から張出床31を取外す。
取外す手順としては、まずオペレータ17が操作レバー16、スイッチ等を適宜操作しアクチュエータ32を駆動して、張出床31を着脱時の位置にする。
つぎに、アクチュエータ32と駆動源との接続を切離す。
そして、取付座39とブラケット33とを、これらの間を取付けているボルト、ピン、バイス等を外し、張出床31を、クレーン等の適宜の手段により取外す。
取外した張出床31は、移動させ、保管場所に置く。
【００３１】
張出床31を取外したプラットホーム61に搭乗したオペレータ17が上部操作装置15の操作レバー16、スイッチ等を操作することにより、各アクチュエータ７〜11が作動する。上部操作装置15のこれらの操作レバー16、スイッチ等を適宜操作して、プラットホーム61を作業対象物18に接近させて高所作業をするのである。
【００３２】
この作業形態の場合、張出床31が取外されているので、張出床31の自重があるために作業半径が小さく抑えられたり、プラットホーム61への積載量が小さく抑えられたりすることがなく、作業を効率良く行える。
【００３３】
ブラケット33の取合い寸法を、プラットホーム61に通常取付けて使う機械、例えばパーカッシヨンドリルのような穿孔機の取付けベースの取合い寸法と同じにしておくことができる。このようにすれば、取付座39は、一種類で済み、また穿孔機と張出床31を択一的に用いるものでは、作業中に取付座39の表面が露出することがないので、取付座39を痛めることがなく都合が良いものである。
もちろん、取付座39へのブラケット33の位置決めガイドとしてダボを備えてもよい。
【００３４】
また、上記説明では、オペレータ17が上部操作装置15の操作レバー16、スイッチ等を適宜操作して、プラットホーム61を作業対象物18に接近させて高所作業をするものとして説明したが、下部操作装置により操作してもよい。
【００３５】
つぎに、本願発明の第２の実施の形態について、図１、図２、および図４を用いて説明する。符号１〜11、および15〜19は、従来の技術で説明し用いたものと同義であるので、ここでは、符号の説明を省略し用いる。
【００３６】
41は、張出床、42は、アクチュエータ、43は、ブラケット、44は、支持体、45は、ガイドレール、46は、アクチュエータ取付座Ａ、47は、アクチュエータ取付座Ｂ、62は、プラットホームである。
【００３７】
左右のブラケット43は、張出床41に固定され、ブラケット43には支持体44がブラケット43と相対的な位置変化を伴わないようにして取付けられている。支持体44は、スライドプレート、ローラ等の形態のものである。プラットホーム62には、ガイドレール45が備えられ、支持体44は、このガイドレール45にガイドされて移動可能であると共に、このガイドレール45の少なくとも一端が開口端になっておりガイドレール45に対し嵌脱自在な構成にされている。ガイドレール45は、プラットホーム62の桁部材と共用したものでも、別途専用に設けたものでもよい。
【００３８】
アクチュエータ42は、一側を張出床41に備えたアクチュエータ取付座Ａ46に接続し、他側をプラットホーム62に備えたアクチュエータ取付座Ｂ47に着脱自在にし、張出床41をプラットホーム62に対し張出自在に駆動する。
【００３９】
このように構成された本願発明の第２の実施の形態による高所作業装置におけるプラットホームの張出床装置は、次のように作用する。
【００４０】
まず、整備された壁面等が作業対象物18であり張出床41が不用な作業の場合、張出床41を取付けないプラットホーム62だけで作業をする。
この場合、上部操作装置15の操作レバー16、スイッチ等をプラットホーム62に搭乗したオペレータ17が操作することにより、各アクチュエータ７〜11が作動する。上部操作装置15のこれらの操作レバー16、スイッチ等を適宜操作して、プラットホーム62を作業対象物18に接近させて高所作業をするのである。
【００４１】
つぎに、作業対象物18の凹凸等により作業内容に合わせた接近度にすることがプラットホーム62ではできない場合、プラットホーム62に張出床41を取付けて作業をする。
張出床41をプラットホーム62に取付けるには、保管していた張出床41をクレーン等の適宜の手段により移動させ、支持体44を、プラットホーム62に備えられたガイドレール45の先端の開口端からガイドレール45に嵌入させる。
アクチュエータ42は、他側をプラットホーム側に備えたアクチュエータ取付座Ｂ47にピン等で接続し、張出床41をプラットホーム62に対し張出自在に駆動する。アクチュエータ取付座Ｂ47での接続は、たとえばパワーピンのような動力駆動されるものでもよい。
【００４２】
そして、アクチュエータ42に油圧、電力等のアクチュエータ42の種類に応じた駆動源を接続する。駆動源は、プラットホーム62に備えられていても、伸縮ブーム４や旋回台３や基台２等に備えられていても、高所作業車に備えられていない別置きのものでもよい。また、駆動源は、張出床41自身に備えたものでもよく、この場合には接続を特には必要としない。
【００４３】
張出床41のプラットホーム62への取付けは、支持体44を、プラットホーム62に備えられたガイドレール45の先端の開口端からガイドレール45に嵌入、アクチュエータ42の他側をプラットホーム62に備えたアクチュエータ取付座Ｂ47にピン等で接続、駆動源のアクチュエータ42への接続でもって完了するのである。なぜなら、左右のブラケット43は、張出床41に固定され、ブラケット43に取付けられた支持体44は、プラットホーム62に備えられたガイドレール45にガイドされて移動可能に、アクチュエータ42は、張出床41に備えたアクチュエータ取付座Ａ46に接続され構成されて、一体的になっているからである。
【００４４】
張出床41のプラットホーム62への取付けが完了すると、オペレータ17が操作レバー16、スイッチ等を適宜操作して各アクチュエータ７〜11を作動させプラットホーム62を作業対象物18に接近させた後、さらに操作レバー16、スイッチ等を適宜操作してアクチュエータ42を自在に駆動し、張出床41を作業対象物18の凹凸や作業内容に合わせた接近度にする。
【００４５】
プラットホーム62に搭載していた作業機19や搭乗したオペレータ17を、プラットホーム62上より張出床41上に位置させることで、作業内容に合わせた作業対象物18への接近度にできるので、張出床41を備えていないプラットホーム62に比べ、高所作業がより安全に、しかも効率良く行える。
【００４６】
そして、次の作業が、張出床41を必要としない作業であるとする。
この場合、プラットホーム62から張出床41を取外す。
取外す手順としては、まずオペレータ17が操作レバー16、スイッチ等を適宜操作しアクチュエータ42を駆動して、張出床41を着脱時の位置にする。
つぎに、アクチュエータ42の他側とアクチュエータ取付座Ｂ47とを接続しているピン等を抜取った後、アクチュエータ42を全縮小する。そして、アクチュエータ42と駆動源との接続を切離す。
支持体44を、プラットホーム62に備えられたガイドレール45の先端の開口端からクレーン等の適宜の手段により抜脱し、取外す。
取外した張出床41は、移動させ、保管場所に置く。
【００４７】
張出床41を取外したプラットホーム62に搭乗したオペレータ17が上部操作装置15の操作レバー16、スイッチ等を操作することにより、各アクチュエータ７〜11が作動する。上部操作装置15のこれらの操作レバー16、スイッチ等を適宜操作して、プラットホーム62を作業対象物18に接近させて高所作業をするのである。
【００４８】
この作業形態の場合、張出床41が取外されているので、張出床41の自重があるために作業半径が小さく抑えられたり、プラットホーム62への積載量が小さく抑えられたりすることがなく、作業を効率良く行える。
【００４９】
以上では、支持体44のガイドレール45への嵌脱は、ガイドレール45の先端の開口端から行うものとして説明したが、ガイドレール45の上面に嵌脱口を設けて、この嵌脱口を経過して嵌脱してもよい。
【００５０】
ところで、上記した本願発明の高所作業装置におけるプラットホームの張出床装置の第１の実施の形態または第２の実施の形態におけるプラットホームは、図５に示すような形態とすることができる。
【００５１】
31、41は、張出床、51は、側縁、52は、床面、53は、開口部、63、64は、プラットホームである。
【００５２】
プラットホーム63、64は、側縁51の一部とそれに続く床面52が欠落しており、これによる開口部53を持っている。張出床31、41は、着脱自在であると共に、この開口部53を覆うように取付けられる。
【００５３】
このような開口部53を持つプラットホーム63、64に、張出床31、41を着脱するための構成、手順、着脱後の作動については、既述の第1の実施の形態および第2の実施の形態と同じであるので、説明を省略する。
【００５４】
このような開口部53を持つプラットホーム63、64とすれば、張出床31、41を必要としない作業の場合、プラットホーム63、64に作業機19なかでも穿孔機等を取付けて使用するときに、斜め下方向の穿孔作業等が床面52と干渉することなく支障なく行えるという効果がある。
【００５５】
そして、張出床31、41をプラットホーム63、64に取付けて作業する場合には、開口部53を塞ぐようになるので、足を踏み外す危険がなくなり安全であると共に、床面を広く使えるので都合がよい。
【００５６】
アクチュエータ32、42は、張出床31、41に備えるものとして説明したが、プラットホーム61、62、63、64に備えたものも考え得る。
【００５７】
また、以上の説明では、高所作業装置Ｂは、車両１に取付け高所作業車Ａとしたものとして説明したが、本願発明の高所作業装置におけるプラットホームの張出床装置は、高所作業装置Ｂだけで用いる定置式等のものにも適用できることは、もちろんである。
【００５８】
【発明の効果】
本願発明の高所作業装置におけるプラットホームの張出床装置は、請求項１では、車両または基台に旋回自在かつ起伏自在なブームと、ブームの先端に姿勢維持部材を介してプラットホームと、を備えた高所作業装置において、張出床と、張出床を張出自在に駆動するアクチュエータとを、プラットホームに対し着脱自在に設けた構成にした。
【００５９】
張出床と、張出床を張出自在に駆動するアクチュエータとを、プラットホームに対し着脱自在にしたので、張出床をプラットホームに対し張出自在に駆動できると共に、張出床が不用な作業の場合には張出床をプラットホームから取外しできる。そこで、張出床が不用な作業の場合、作業半径が小さく抑えられたり、プラットホーム６への積載量が小さく抑えられたりすることがなく、作業効率を良くすることができるという効果を持つ。
【００６０】
請求項２においては、請求項１に加え、プラットホームは、側縁の一部とそれに続く床面が欠落した開口部を持っており、張出床は、この開口部を覆う構成にした。
【００６１】
プラットホームは、側縁の一部とそれに続く床面が欠落した開口部を持たせたので、請求項１の作用に加え、プラットホームに作業機なかでも穿孔機等を装備して作業するのに作業し易く、また、張出床を装備した場合にはこの開口部を覆うので、安全に作業できるという効果を持つ。
【００６２】
請求項３においては、請求項１または請求項２において、張出床と、張出床を張出自在に駆動するアクチュエータとを、プラットホームに対し着脱自在に設けるに当り、プラットホームに着脱自在としたブラケットと、このブラケットに取付けた支持体と、張出床にこの支持体を介して移動可能なガイドレールとを備え、アクチュエータの一側をブラケット側に他側を張出床側に接続した構成にした。
【００６３】
このように構成したので、請求項１または請求項２の作用に加え、張出床と、張出床を張出自在に駆動するアクチュエータとを、プラットホームに対し着脱する操作は、ブラケットの着脱操作だけで済むのである。よって、張出床およびアクチュエータのプラットホームに対する着脱操作は、簡単なものになるという効果を持つ。
【００６４】
請求項４においては、請求項１または請求項２において、張出床と、張出床を張出自在に駆動するアクチュエータとを、プラットホームに対し着脱自在に設けるに当り、プラットホームにガイドレールと、張出床にガイドレールに案内され移動可能であると共にガイドレールに対し嵌脱自在な支持体とを備え、アクチュエータの一側を張出床側に接続し他側をプラットホーム側に着脱自在に接続した構成にした。
【００６５】
このように構成したので、請求項１または請求項２の作用に加え、張出床と、張出床を張出自在に駆動するアクチュエータとを、プラットホームに対し着脱する操作は、支持体のガイドレールに対する嵌脱操作と、アクチュエータの他側をプラットホーム側に着脱する操作で済むのである。よって、張出床およびアクチュエータのプラットホームに対する着脱操作は、簡単なものになるという効果を持つ。
【図面の簡単な説明】
【図１】本願発明に係る高所作業車を示す説明図である。
【図２】本願発明に係る高所作業装置におけるプラットホームの張出床装置を示す説明図である。
【図３】図２または図５の■矢視である。
【図４】図２または図５の他の実施の形態を示す図３相当の説明図である。
【図５】本願発明に係る高所作業装置におけるプラットホームの張出床装置の他の実施の形態を示す説明図である。
【図６】従来の高所作業装置におけるプラットホームの張出床装置を示す説明図である。
【符号の説明】
６、61、62、63、64    プラットホーム、
21、31、41            張出床、
22、32、42            アクチュエータ、
33、43                ブラケット、
34、44                支持体、
35、45                ガイドレール、
51                    側縁、
52                    床面、
53                    開口部、
Ｂ                    高所作業装置、
【図１】
0004864197.tif 000002
【図２】
0004864197.tif 000003
【図３】
0004864197.tif 000004
【図４】
0004864197.tif 000005
【図５】
0004864197.tif 000006
【図６】
0004864197.tif 000007